【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
電気外科的システムであって、
該電気外科的システムは、
組織に電気外科的エネルギーを供給するように適合される電気外科的ジェネレータと、
電気外科的エネルギーを組織に印加するように適合される少なくとも１つの活性電極を含む電気外科的器具と
を含み、該ジェネレータは、
組織インピーダンスを連続的に監視して分散インピーダンス曲線を生成するように適合されるセンサ回路と、
該分散インピーダンス曲線の少なくとも１つの区分の勾配と、組織内での気泡の形成および吸収の速度を表す気泡因子とを計算して、最小組織インピーダンスおよび最大組織コンダクタンスを決定するように適合されるマイクロプロセッサと
を含む、システム。
【請求項２】
前記マイクロプロセッサは、前記気泡因子の関数として前記電気外科的ジェネレータの出力を調整して、最小組織インピーダンスおよび最大組織コンダクタンスを維持するようにさらに適合される、請求項１に記載のシステム。
【請求項３】
前記マイクロプロセッサは、前記分散インピーダンス曲線の前記少なくとも１つの区分を選択するために移動時間窓を生成するようにさらに適合され、該少なくとも１つの区分を第１の半分と第２の半分とに分割する、請求項１に記載のシステム。
【請求項４】
前記マイクロプロセッサは、前記少なくとも１つの区分の前記第１の半分に対する第１の平均インピーダンス値と、該少なくとも１つの区分の前記第２の半分に対する第２の平均インピーダンス値とを計算し、該第１の平均インピーダンス値および第２の平均インピーダンス値を比較するようにさらに適合される、請求項３に記載のシステム。
【請求項５】
前記マイクロプロセッサは、前記少なくとも１つの区分の前記第１の半分に対するインピーダンス値の第１の分散と、該少なくとも１つの区分の前記第２の半分に対するインピーダンス値の第２の分散とを計算し、インピーダンス値の該第２の分散からインピーダンス値の該第１の分散を差し引くようにさらに適合される、請求項３に記載のシステム。
【請求項６】
前記マイクロプロセッサは、前記気泡因子の関数として前記電気外科的ジェネレータの出力を調整するようにさらに適合され、前記計算された気泡因子が正である場合、出力は減少され、該気泡因子が負である場合、出力は増加され、該気泡因子がほぼ０である場合、該出力は変更されない、請求項５に記載のシステム。
【請求項７】
組織に電気外科的エネルギーを供給するように適合される電気外科的ジェネレータであって、
該電気外科的ジェネレータは、
組織インピーダンスを連続的に監視して分散インピーダンス曲線を生成するように適合されるセンサ回路と、
該分散インピーダンス曲線の少なくとも１つの区分の勾配と、組織内での気泡の形成および吸収の速度を表す気泡因子とを計算して、最小組織インピーダンスおよび最大組織コンダクタンスを決定するように適合されるマイクロプロセッサと
を含む、電気外科的ジェネレータ。
【請求項８】
前記マイクロプロセッサは、前記気泡因子の関数として前記電気外科的ジェネレータの出力を調整して、最小組織インピーダンスおよび最大組織コンダクタンスを維持するようにさらに適合される、請求項７に記載の電気外科的ジェネレータ。
【請求項９】
前記マイクロプロセッサは、前記分散インピーダンス曲線の前記少なくとも１つの区分を選択するために移動時間窓を生成するようにさらに適合され、該少なくとも１つの区分を第１の半分と第２の半分とに分割する、請求項７に記載の電気外科的ジェネレータ。
【請求項１０】
前記マイクロプロセッサは、前記少なくとも１つの区分の前記第１の半分に対する第１の平均インピーダンス値と、該少なくとも１つの区分の前記第２の半分に対する第２の平均インピーダンス値とを計算するようにさらに適合され、該第１の平均インピーダンス値および第２の平均インピーダンス値を比較する、請求項９に記載の電気外科的ジェネレータ。
【請求項１１】
前記マイクロプロセッサは、前記少なくとも１つの区分の前記第１の半分に対するインピーダンス値の第１の分散と、該少なくとも１つの区分の前記第２の半分に対するインピーダンス値の第２の分散とを計算するようにさらに適合され、インピーダンス値の該第２の分散からインピーダンス値の該第１の分散を差し引く、請求項９に記載の電気外科的ジェネレータ。
【請求項１２】
前記マイクロプロセッサは、前記気泡因子の関数として前記電気外科的ジェネレータの出力を調整するようにさらに適合され、前記計算された気泡因子が正である場合、出力は減少され、該気泡因子が負である場合、出力は増加され、該気泡因子がほぼ０である場合、該出力は変更されない、請求項１１に記載の電気外科的ジェネレータ。
【手続補正２】
【補正対象書類名】明細書
【補正対象項目名】０００９
【補正方法】変更
【補正の内容】
【０００９】
本開示のさらなる局面に従って、電気外科的エネルギーを組織に供給するように適合される電気外科的ジェネレータが提供される。該ジェネレータは、組織インピーダンスを連続的に監視して、分散インピーダンス曲線を生成するように適合されるセンサ回路と、分散インピーダンス曲線のある区分の勾配、および組織内での気泡の形成および吸収速度を表す気泡因子を計算して、最小組織インピーダンスおよび最大組織コンダクタンスを決定するように適合されるマイクロプロセッサとを含む。
例えば、本発明は以下の項目を提供する。
（項目１）
電気外科的システムであって、
組織に電気外科的エネルギーを供給するように適合される、電気外科的ジェネレータであって、
組織インピーダンスを連続的に監視して分散インピーダンス曲線を生成するように適合される、センサ回路と、
該分散インピーダンス曲線の少なくとも１つの区分の勾配、および組織内での気泡の形成および吸収速度を表す気泡因子を計算して、最小組織インピーダンスおよび最大組織コンダクタンスを決定するように適合される、マイクロプロセッサと
を含む、ジェネレータと、
電気外科的エネルギーを組織に印加するように適合される少なくとも１つの活性電極を含む、電気外科的器具と
を含む、システム。
（項目２）
上記マイクロプロセッサはさらに、上記気泡因子の関数として上記電気外科的ジェネレータの出力を調整して、最小組織インピーダンスおよび最大組織コンダクタンスを維持するように適合される、項目１に記載のシステム。
（項目３）
上記マイクロプロセッサは、上記分散インピーダンス曲線の上記少なくとも１つの区分を選択するための移動時間窓を生成するようにさらに適合され、該少なくとも１つの区分を第１の半分と第２の半分とに分割する、項目１に記載のシステム。
（項目４）
上記マイクロプロセッサはさらに、上記少なくとも１つの区分の上記第１の半分の第１の平均インピーダンス値と、該少なくとも１つの区分の上記第２の半分の第２の平均インピーダンス値とを計算し、該第１および第２の平均インピーダンス値を比較するように適合される、項目３に記載のシステム。
（項目５）
上記マイクロプロセッサはさらに、上記少なくとも１つの区分の上記第１の半分に対するインピーダンス値の第１の分散と、該少なくとも１つの区分の上記第２の半分に対するインピーダンス値の第２の分散とを計算し、インピーダンス値の該第２の分散からインピーダンス値の該第１の分散を差し引くように適合される、項目３に記載のシステム。
（項目６）
上記マイクロプロセッサはさらに、上記気泡因子の関数として上記電気外科的ジェネレータの出力を調整するように適合され、上記計算された気泡因子が正である場合、出力は減少され、該気泡因子が負である場合、出力は増加され、該気泡因子がほぼ０である場合、該出力は変更されない、項目５に記載のシステム。
（項目７）
電気外科的手技を施すための方法であって、
電気外科的ジェネレータから組織に電気外科的エネルギーを印加するステップと、
分散インピーダンス曲線を生成するように組織インピーダンスを連続的に監視するステップと、
該分散インピーダンス曲線の少なくとも１つの区分の勾配を計算するステップと、
最小組織インピーダンスおよび最大組織コンダクタンスを決定するように、組織内での気泡の形成および吸収速度を表す気泡因子を計算するステップと
を含む、方法。
（項目８）
最小組織インピーダンスおよび最大組織コンダクタンスを維持するように、上記気泡因子の関数として上記電気外科的ジェネレータの出力を調整するステップをさらに含む、項目７に記載の方法。
（項目９）
上記分散インピーダンス曲線の上記少なくとも１つの区分を選択するための移動時間窓を生成するステップと、
該少なくとも１つの区分を第１の半分と第２の半分とに分割するステップと
をさらに含む、項目７に記載の方法。
（項目１０）
勾配を計算する上記ステップは、
上記少なくとも１つの区分の上記第１の半分に対する第１の平均インピーダンス値と、該少なくとも１つの区分の上記第２の半分に対する第２の平均インピーダンス値とを計算するステップと、
該第１および第２の平均インピーダンス値を比較するステップと
を含む、項目９に記載の方法。
（項目１１）
気泡因子を計算する上記ステップは、
上記少なくとも１つの区分の上記第１の半分に対するインピーダンス値の第１の分散と、該少なくとも１つの区分の上記第２の半分に対するインピーダンス値の第２の分散とを計算するステップと、
インピーダンス値の該第２の分散からインピーダンス値の該第１の分散を差し引くステップと
を含む、項目９に記載の方法。
（項目１２）
上記気泡因子の関数として上記電気外科的ジェネレータの出力を調整するステップをさらに含み、上記計算された気泡因子が正である場合、出力は減少され、該気泡因子が負である場合、出力は増加され、該気泡因子がほぼ０である場合、該出力は変更されない、項目１１に記載の方法。
（項目１３）
組織に電気外科的エネルギーを供給するように適合される、電気外科的ジェネレータであって、
組織インピーダンスを連続的に監視して分散インピーダンス曲線を生成するように適合される、センサ回路と、
該分散インピーダンス曲線の少なくとも１つの区分の勾配、および組織内での気泡の形成および吸収速度を表す気泡因子を計算して、最小組織インピーダンスおよび最大組織コンダクタンスを決定するように適合される、マイクロプロセッサと
を含む、電気外科的ジェネレータ。
（項目１４）
上記マイクロプロセッサはさらに、上記気泡因子の関数として上記電気外科的ジェネレータの出力を調整して、最小組織インピーダンスおよび最大組織コンダクタンスを維持するように適合される、項目１３に記載の電気外科的ジェネレータ。
（項目１５）
上記マイクロプロセッサは、上記分散インピーダンス曲線の上記少なくとも１つの区分を選択するための移動時間窓を生成するようにさらに適合され、該少なくとも１つの区分を第１の半分と第２の半分とに分割する、項目１３に記載の電気外科的ジェネレータ。
（項目１６）
上記マイクロプロセッサは、上記少なくとも１つの区分の上記第１の半分に対する第１の平均インピーダンス値と、該少なくとも１つの区分の上記第２の半分に対する第２の平均インピーダンス値とを計算するようにさらに適合され、該第１および第２の平均インピーダンス値を比較する、項目１５に記載の電気外科的ジェネレータ。
（項目１７）
上記マイクロプロセッサは、上記少なくとも１つの区分の上記第１の半分に対するインピーダンス値の第１の分散と、上記少なくとも１つの区分の上記第２の半分に対するインピーダンス値の第２の分散とを計算するようにさらに適合され、インピーダンス値の該第２の分散からインピーダンス値の該第１の分散を差し引く、項目１５に記載の電気外科的ジェネレータ。
（項目１８）
上記マイクロプロセッサはさらに、上記気泡因子の関数として上記電気外科的ジェネレータの出力を調整するように適合され、上記計算された気泡因子が正である場合、出力は減少され、該気泡因子が負である場合、出力は増加され、該気泡因子がほぼ０である場合、該出力は変更されない、項目１７に記載の電気外科的ジェネレータ。